(57)【要約】      （修正有）【課題】オリジナルデザインのプラスチックス系ＩＤカ−ドを、現場で、いつでも、簡単に、１枚のみでも、低価格で、両面同時に、その上擦れ耐久性が従来の印刷より強いＩＤカ−ドを作成できるプリント媒体と方法を提供する。【解決手段】カ−ドサイズに合わせたフィルムを貼り付けた台紙に、プリンタ−の左右反転機能を利用して高精細に裏面用、表面用を同時に印刷する。印刷後にプリント媒体左右いずれかのフィルムの上にベ−スカ−ドを置き、次に中心線から折りたたむことによってベ−スカ−ドの裏面と表面にプリント媒体のフィルムを重ね合わせる。このプリント媒体を熱圧着機にかけることによって、プリント媒体のフィルムとベ−スカ−ドが強く接着される。【選択図】図１
0003115471.tif 000002
【実用新案登録請求の範囲】
【請求項１】
準水平型インク式カラ−プリンタ−でカ−ドの表面用と裏面用を同時に精細にプリントできるプリント媒体。
【請求項２】
準水平型インク式カラ−プリンタ−で印刷できるカ−ドサイズの透明高精細プリントフィルム（以下フィルムと呼ぶ）を台紙に貼り付ける。貼り付ける位置は台紙の中心線に対して左右対称にする。
【請求項３】
プリント媒体台紙の左右中心位置に縦の刃型点線を台紙の裏側から入れる。この刃型点線は、準水平型インク式カラ−プリンタ−で印刷後にベ−スカ−ド（プラスチックス系カ−ド、ＩＣカ−ド等）と印刷した左右のフィルムを正確に、迅速簡単に重ね合わせるものである。
【請求項４】
プリント媒体の台紙は２層構造にしてあり、粘着剤で貼り付けてある。１層目は厚い紙、２層目は薄い紙にしてある。１層目の紙にはカ−ドが入るサイズに２つ切り抜いてあり、その場所に高精細プリントフィルムを貼り付けてあるものである。
【考案の詳細な説明】
【技術分野】
【０００１】この発案は、パソコンと準水平型インク式プリンタ−を用いて印刷した媒体に、硬いベ−スカ−ドを挟み込み、熱圧着によってＩＤカ−ド等を作成するためのプリント媒体である。
【背景技術】
【０００２】従来は、プラチックス系ＩＤカ−ドの作成には専門業者へ作成依頼するしか方法がなかった。その場合作成最小単位１０００枚が一般的であり、価格が非常に高い上、納期期間も非常に長いのが通常である。１枚づつに異なった写真、図形、連番、バ−コ−ド、二次元コ−ド等の情報を入れたＩＤカ−ドを、利用者側の現場で作成することができなかった。
【考案の開示】
【考案が解決しようとする課題】
【０００３】本案は、パソコンと準水平型インク式カラ−プリンタ−を利用してオリジナルデザインのプラスチックス系ＩＤカ−ドを、現場で、いつでも、簡単に、１枚のみでも、低価格で、両面同時に、その上擦れ耐久性が従来の印刷より強いＩＤカ−ドを作成できるプリント媒体と方法を提供することである。
【課題を解決するための手段】
【０００４】その解決手段を図面から説明すれば、カ−ドサイズに合わせたフィルムを貼り付けた台紙（図１）を準備する。パソコンからは入力画面のテンプレイトに合わせてデ−タ（図形、写真、文字、バ−コ−ド、二次元コ−ド等）を入力する。そのデ−タをプリンタ−へ送信する。プリンタ−の左右反転機能を利用してプリント媒体に高精細に裏面用、表面用を同時に印刷する。印刷後にプリント媒体左右いずれかのフィルムの上にベ−スカ−ドを置く。次に中心線から折りたたむことによってベ−スカ−ドの裏面と表面にプリント媒体のフィルムを重ね合わされることになる。このプリント媒体を熱圧着機にかけることによって、プリント媒体のフィルムとベ−スカ−ドが強く接着される。この後、ＩＤカ−ドをプリント媒体の台紙から剥がすことでＩＤカ−ドができる。ＩＤカ−ドには裏面と表面に剥離フィルムがついている。この剥離フィルムを取り除くことによって表面、裏面が光沢のあるきれいなＩＤカ−ドが出来上がる。
【考案の効果】
【０００５】従来はプラスチックス系カ−ドのＩＤカ−ドを作成するには専門業者へ作成依頼が必要であったが、本案はパソコンと準水平型インク式カラ−プリンタ−と市販ソフトを利用して印刷することができる。印刷後は熱圧着機をとおすことでＩＤカ−ドが作成できる。印刷した品質は高精彩で、かつ擦れに対して従来の印刷よりも強ＩＤカ−ドができる。１枚からでも作成でき、価格も１枚あたり１５０円前後で作成できる。特にＩＤカ−ドの発行が必要とする現場で作成できることが特徴である。
【考案を実施するための最良の形態】
【実施例】
【０００６】実施例について図を参照して説明する。【０００７】図１は高精細にプリントできるフィルム、刃型による折れ線の入った台紙で構成されるプリント媒体の斜視図である。【０００８】プリント媒体のフィルム表面にはフルカラ−で高精細にプリントができ、かつ熱圧着できる接着機能の特殊加工が施されている。
図３はプリント媒体の断面図である。台紙５の左右の中心に刃型の点線を入れてある。中心線の左右にプリント用フィルムを配置する。
フィルムは２層構造にしてあり、台紙側の下層は剥離フィルム、上層のフィルムはプリント用で、高精細に印刷できるよう、また熱圧着可能なように接着剤の加工を施してある。【０００９】図４はプリント媒体をプリンタ−のホッパ−部分にセットにした状態である。パソコンからデ−タを入力し、左右反転機能を設定し、デ−タをプリンタ−へ送信する。【００１０】準水平型インク式カラ−プリンタ−の印刷所要時間はプリンタ−機種によるが約１分が目安である。【００１１】図５は印刷後のフィルムの片方にベ−スカ−ドをセットした図である。
図６はプリント媒体の台紙の刃型点線から左右折って重ねたものである。【００１２】図７は、重ねた媒体を熱圧着機にセットする図である。【００１３】図８は、熱圧着後に台紙からＩＤカ−ドを取り出した図である。【００１４】図９の左側は、ＩＤカ−ドの表面についている剥離フィルムを剥がしかけている図である。図９の右側図は裏面の剥離フィルムを取り除くことで完成したＩＤカ−ド。
【図面の簡単な説明】
【００１５】
【図１】印刷用フィルム２枚を取り付け、中間点に縦点線の刃型を入れてプリント媒体の鳥瞰図である。
【図２】プリント媒体の平面図である。
【図３】印刷用フィルムは凹形状の台紙にはめ込むように貼り付けてあり、そのプリント媒体の断面図である。
【図４】プリント媒体は、約３０度以内の傾斜の準水平型インク式カラ−プリンタ−で印刷することにしており、そのプリント媒体をセットした図である。
【図５】印刷した媒体に、ベ−スカ−ド（プラスチックス系カ−ド）をセットした断面図である。
【図６】印刷した媒体の刃型点線から折って重ねたプリント媒体の断面図である。
【図７】重ねたプリント媒体を熱圧着機で処理する図である。
【図８】熱圧着処理後の台紙からＩＤカ−ド取り出し図である。
【図９】ＩＤカ−ドの剥離フィルムを取り外す図である。
【符号の説明】
【００１６】１  プリント媒体
２  表面用フィルム
フィルムは２層になっており上層はプリント面、下層は剥離フィルム
３  裏面用フィルム
フィルムは２層になっており上層はプリント面、下層は剥離フィルム
４  台紙を左右対称に折りたたむための刃型の入った中間位置の点線
５  台紙
６  準水平型インク式カラ−プリンタ−
７  ベ−スカ−ド
８  印刷後に重ね合わせた状態のプリント媒体
９  熱圧着機
１０  印刷後の剥離フィルム付きＩＤカ−ド
１１  完成したＩＤカ−ド
【図１】
0003115471.tif 000003
【図２】
0003115471.tif 000004
【図３】
0003115471.tif 000005
【図４】
0003115471.tif 000006
【図５】
0003115471.tif 000007
【図６】
0003115471.tif 000008
【図７】
0003115471.tif 000009
【図８】
0003115471.tif 000010
【図９】
0003115471.tif 000011
【手続補正書】
【提出日】平成17年7月8日(2005.7.8)
【手続補正１】
【補正対象書類名】実用新案登録請求の範囲
【補正対象項目名】全文
【補正方法】変更
【補正の内容】
【実用新案登録請求の範囲】
【請求項１】
（１）準水平型インク式カラープリンターの左右反転機能を利用して表面・裏面を同時に印刷できる。
（２）台紙の左右中心位置に縦の刃型点線を入れる。
（３）台紙は二重構造にしてあり、粘着剤で張り付けてある。１層目は厚い紙、２層目は薄い紙にしてある。
（４）１層目には表面用、裏面用の２枚のカードが入るサイズに切り抜いてあり、その位置に高精細に印刷できるカードサイズのペット素材を張り付けてある。ペット素材の印刷面には熱圧着により接着できる接着剤が塗布されている。
（５）プリンターで印刷後、台紙の縦中心位置にベースカードを挟み込んで熱圧着機にかけると１枚のカードになる。
を特徴とするプリント媒体。